(57)【要約】【課題】従来とは全く異なる点火スイッチの作動機構。【解決手段】可動ハウジング３の開閉可能に設けられた燃焼室５を備え、燃焼室５内の燃焼ガスを、トリガ１３の操作によって点火プラグをスパークさせて燃焼させることにより作動するガス内燃式釘打機において、トリガ１３には、燃焼室密閉位置に移動した可動ハウジング３と係合可能なロックアウトバー３５を連結するとともに、トリガ１３と可動ハウジング３との間には、点火プラグをスパークさせる点火スイッチ１４と、トリガ１３と連動して点火スイッチ１４を押圧可能なコンタクトレバー１６と、可動ハウジング３と連動してコンタクトレバー１６を、点火スイッチ１４を有効に押圧可能な位置に移動させる安全レバー１７とを設けた。【選択図】図３
2008260094.tif 000002
【特許請求の範囲】
【請求項１】
打撃ピストンを摺動可能に収容する打撃シリンダの上方で筒状の可動ハウジングと釘打機本体の上端のシリンダヘッド部とに囲まれて可動ハウジングの作動により開閉可能に設けられた燃焼室を備え、上記燃焼室内の燃焼ガスを、トリガの操作によって点火プラグをスパークさせて燃焼させることにより作動するガス内燃式釘打機において、
上記トリガには、燃焼室密閉位置に移動した上記可動ハウジングと係合可能なロックアウトバーを連結するとともに、
上記トリガと可動ハウジングとの間には、上記点火プラグをスパークさせる点火スイッチと、上記トリガと連動して上記点火スイッチを押圧可能なコンタクトレバーと、上記可動ハウジングと連動して上記コンタクトレバーを、上記点火スイッチを有効に押圧可能な位置に移動させる安全レバーとを設けた
ことを特徴とするガス内燃式釘打機。
【請求項２】
上記安全レバーは、上記可動ハウジングと連動する連動プレートに回動可能に設けられ、上記可動ハウジングとともに作動したときに上記コンタクトレバーに係合して点火スイッチを有効に押圧可能な位置に移動させることを特徴とする、請求項１に記載のガス内燃式釘打機。
【請求項３】
上記釘打機本体には、上記コンタクトレバーと係脱可能に作動する安全レバーを、上記トリガを操作した状態で上記可動ハウジングが密閉位置から作動したときに上記ロックアウトバーと連動して上記コンタクトレバーと係合不可能な位置に作動させるレバー機構を設けたことを特徴とする、請求項１に記載のガス内燃式釘打機。
【請求項４】
上記可動ハウジングが上動する前にトリガを操作したときは、上記コンタクトレバーを、トリガの操作と連動して上記安全レバーと係合しない位置に移動させることを特徴とする、請求項１に記載のガス内燃式釘打機。
【請求項５】
上記トリガの操作が、上記トリガを移動端の途中まで引いた状態であることを特徴とする、請求項３に記載のガス内燃式釘打機。
【請求項６】
上記トリガが上記釘打機本体に対して回動可能に設けられた、請求項１〜５のいずれかに記載のガス内燃式釘打機。
【発明の詳細な説明】
【技術分野】
【０００１】
本発明は、トリガと連動するロックアウトバーで可動ハウジングを支持するガス内燃式釘打機に関する。
【背景技術】
【０００２】
従来から、釘打機本体に上下動可能な可動ハウジングを設け、釘打機本体の先端から突出するコンタクト部材の被打ち込み材に対して押し付ける押し付け作動に連動して上記可動ハウジングを相対的に上動させることによって密閉された燃焼室を形成し、燃焼室が密閉状態のときに内部に可燃性ガスと空気を供給し、これをファンの回転によって混合した後に点火して爆発的に燃焼させ、高圧のガス圧を打撃ピストンに作用させて釘打ちを行い、燃焼室の開放状態において空気の吸入を行い、打撃シリンダ下部から排気を行うようにしたガス内燃式の釘打機は既に良く知られている（例えば、特許文献１、２参照）。
【０００３】
そして、上記コンタクト部材と可動ハウジングとを連結するロックアウトバーをトリガの下方に位置するカムで受ける構造を備えたものも知られている（特願２００６−２１６８３１）。カムは合成樹脂製で、釘打機本体に摺動可能に配置されている。
【０００４】
ところで、ロックアウトバーを樹脂製カムで受ける構造では、埃や砂で摺動面が荒らされ、摺動性能だけでなく、ロックアウトバーの保持性能が劣化しやすい。また、釘打機を固い床に落としたり、硬い部品にぶつけたりしてカムに衝撃が加わると、カムが変形したり破損したりして使用できなくなることがある。
【０００５】
また、実打の際に、その衝撃によってカムが動くのを、トリガのバネを強くすることによって対応したため、トリガが重く操作しにくい。
【０００６】
さらに、トリガの下方位置にカムを配置する構造であったため、全高が高くなり、釘打機を小型化することができなかった。
【０００７】
そこで、特許文献１のように、可動ハウジングの動きとトリガの動きをそれぞれスイッチで検出し、可動ハウジングが所定の密閉位置まで作動したときにトリガのスイッチをオンさせる構成や、特許文献２のように、トリガと連動するロックアウトバーによって可動ハウジングを支持する構成のものが知られている。特許文献１の技術によれば、釘打機の起動はプログラムによって制御されるので、機械的部品が不要となり、全体を小型化することができる。特許文献２の技術によっても、カムがなくなるので、全体を小型化することができる。
【特許文献１】特公平７−３６９８５号公報
【特許文献２】米国特許第６，７１５，６５５号明細書
【発明の開示】
【発明が解決しようとする課題】
【０００８】
しかしながら、特許文献１の技術では、可動ハウジングの上動検出スイッチのオンオフとトリガスイッチのオンオフは確実に作動させないと、釘打機が良好に起動しない。たとえば、コンタクト部材の押し付けがあまいために可動ハウジングの検出スイッチが上動を検出しないから、トリガスイッチを操作しても釘打機は起動しない。このように、被打ち込み材に対してコンタクト部材をしっかりと押し付けない限り起動しないので、操作しにくいという問題があった。
【０００９】
また、特許文献２の技術では、可動ハウジングとコンタクト部材との関連や、コンタクト打ち防止や空中発射防止等についての具体的構成がなんら記載されていない。
【００１０】
そこで、本発明は上述のカムのような合成樹脂部品や各種のスイッチ部品を配置することなしに上述の問題点を解消することができるガス内燃式釘打機を提供することをその課題とする。
【課題を解決するための手段】
【００１１】
すなわち、請求項１に係る発明は、打撃ピストンを摺動可能に収容する打撃シリンダの上方で筒状の可動ハウジングと釘打機本体の上端のシリンダヘッド部とに囲まれて可動ハウジングの作動により開閉可能に設けられた燃焼室を備え、上記燃焼室内の燃焼ガスを、トリガの操作によって点火プラグをスパークさせて燃焼させることにより作動するガス内燃式釘打機において、上記トリガには、燃焼室密閉位置に移動した上記可動ハウジングと係合可能なロックアウトバーを連結するとともに、上記トリガと可動ハウジングとの間には、上記点火プラグをスパークさせる点火スイッチと、上記トリガと連動して上記点火スイッチを押圧可能なコンタクトレバーと、上記可動ハウジングと連動して上記コンタクトレバーを、上記点火スイッチを有効に押圧可能な位置に移動させる安全レバーとを設けたことを特徴とする。
【００１２】
請求項２に係る発明は、請求項１において、上記安全レバーは、上記可動ハウジングと連動する連動プレートに回動可能に設けられ、上記可動ハウジングとともに作動したときに上記コンタクトレバーに係合して点火スイッチを有効に押圧可能な位置に移動させることを特徴とする。
【００１３】
請求項３に係る発明は、請求項１において、上記釘打機本体には、上記コンタクトレバーと係脱可能に作動する安全レバーを、上記トリガを操作した状態で上記可動ハウジングが密閉位置から作動したときに上記ロックアウトバーと連動して上記コンタクトレバーと係合不可能な位置に作動させるレバー機構を設けたことを特徴とする。
【００１４】
請求項４に係る発明は、請求項１において、上記可動ハウジングが上動する前にトリガを操作したときは、上記コンタクトレバーを、トリガの操作と連動して上記安全レバーと係合しない位置に移動させることを特徴とする、請求項１に記載のガス内燃式釘打機。
【００１５】
請求項５に係る発明は、請求項３において、上記トリガの操作が、上記トリガを移動端の途中まで引いた状態であることを特徴とする。
【００１６】
請求項６に係る発明は、請求項１〜５のいずれかにおいて、上記トリガが上記釘打機本体に対して回動可能に設けられたことを特徴とする。
【発明の効果】
【００１７】
請求項１に係る発明によれば、トリガには、燃焼室密閉位置に移動した上記可動ハウジングと係合可能なロックアウトバーを連結した構成であるから、トリガを操作することによりロックアウトバーで可動ハウジングを支持することができるから、釘打撃時の反動によっても可動ハウジングが下動して燃焼室が開くようなことがなく、常に安定した作動を確保することができる。
【００１８】
また、上記トリガと可動ハウジングとの間には、上記点火プラグをスパークさせる点火スイッチと、上記トリガと連動して上記点火スイッチを押圧可能なコンタクトレバーと、上記可動ハウジングと連動して上記コンタクトレバーを、上記点火スイッチを有効に押圧可能な位置に移動させる安全レバーとを設けた構成であるから、可動ハウジングを作動させて燃焼室を形成すると、これと連動して安全レバーがコンタクトレバーを押圧有効可能位置に移動させるので、さらにトリガを操作することにより、コンタクトレバーが点火スイッチをオン作動させて燃焼室内の燃焼ガスを燃焼させて釘打ちこみ作動させることができる。
【００１９】
また、従来のカムのような合成樹脂部品がないので、釘打機を硬い部品にぶつけたり、落としたりしたときの衝撃で破損したり変形したりする事故がなくなる。
【００２０】
さらに、点火スイッチのスイッチ機構とロックアウトバーがトリガと可動ハウジングとの間に設けられるので、従来カムを配置していたトリガの下方のスペースを無くすることができ、そのスペースを活用して別部品を設けたり、あるいは上記スペースを無くして釘打機の全高を低くして小型化したりすることができる。
【００２１】
しかも、点火スイッチのオンオフは機械的に行われるので、操作性がよい。
【００２２】
請求項２に係る発明によれば、安全レバーは、可動ハウジングと連動する連動プレートに回動可能に設けられ、上記可動ハウジングとともに上動したときに上記コンタクトレバーに係合して点火スイッチを有効に押圧可能な位置に移動させる構成であるから、先端を被打ち込み材に押し付けることにより可動ハウジングが作動する機構を採用している通常の釘打機では、釘打機を被打ち込み材に押し付け、その後にトリガレバーを操作することによりその操作が有効に行われるので、釘打機の暴発を防止することができる。
【００２３】
請求項３に係る発明によれば、上記釘打機本体には、上記コンタクトレバーと係脱可能に作動する安全レバーを、上記トリガを操作した状態で上記可動ハウジングが密閉位置から作動したときに上記ロックアウトバーと連動して上記コンタクトレバーと係合不可能な位置に作動させるレバー機構を設けたから、燃焼室内で燃焼ガスが燃焼した後に釘打機を被打込み材から離反させると、可動ハウジングが作動し、ロックアウトバーが可動ハウジングの荷重で作動し、これと連動して安全レバーがコンタクトレバーと係合不可能な位置に作動するので、コンタクトレバーとの係合が解除され、この状態でトリガを作動させても点火スイッチはオン作動しない。
【００２４】
請求項４に係る発明によれば、上記可動ハウジングが上動する前にトリガを操作したときは、上記コンタクトレバーを、トリガの操作と連動して上記安全レバーと係合しない位置に移動させる構成であるから、そのため、釘打機を被打ち込み材に押し付けても点火スイッチはオン作動しない。したがって、いわゆるコンタクト打ちは確実に防止される。
【００２５】
請求項５に係る発明によれば、上記トリガを上記トリガを移動端の途中まで操作した状態で、釘打機を被打ち込み材から持ち上げると、可動ハウジングが密閉位置から作動するので、レバー機構が作動し、上記ロックアウトバーと連動して上記コンタクトレバーと係合不可能な位置に作動させるから、この状態でトリガを作動させても点火スイッチはオン作動しない。したがって、空中で実打されるのを確実に防止することができる。
【００２６】
請求項６に係る発明によれば、トリガは釘打機本体に対して回動可能に設けられているから、従来のようなスライド構成の場合とは異なり、埃や砂の影響で動きが鈍くなったり部品が摩耗したりする不都合が発生しにくい。
【００２７】
また、ロックアウトバーを介して受ける可動ハウジングの荷重はトリガを待機位置に戻すように作用するから、トリガの引き操作後に待機状態に戻すためのバネ荷重を小さくすることができ、操作性が向上する。
【発明を実施するための最良の形態】
【００２８】
以下に本発明の実施形態を図１ないし図４を参照して説明する。
【００２９】
図１及び図２はガス内燃式釘打機を示すもので、この釘打機Ａは駆動機構部やガス燃料カートリッジ等を収納する釘打機本体Ａ１と、釘打機本体Ａ１と一体形成のグリップＡ２と、釘を打ち出すノーズ部Ａ３と、ノーズ部Ａ３に釘を供給するマガジンＡ４等を備えている。
【００３０】
釘打機本体Ａ１内に収納される駆動機構部は、円筒状の打撃シリンダ１と、打撃シリンダ１内で図示上下方向で往復摺動する打撃ピストン２と、該打撃ピストン２と上部シリンダヘッド部４との間を可動ハウジング３が上下動することによって開閉する燃焼室５と、打撃ピストン２に固定されたドライバ７と、燃焼室５の上部のシリンダヘッド部４に装着された点火プラグ６、ガス燃料カートリッジ（図示せず）から供給された可燃性ガス燃料と空気を混合するモータ８の駆動による撹拌用のファン９等からなる。
【００３１】
また、ノーズ部Ａ３に沿って駆動機構部を実質的に作動させるためコンタクト部材１０が設けられている。コンタクト部材１０は、釘打ちに供されない状態においてその下端がノーズ部Ａ３の最下部から突出するようにバネ付勢され、コンタクト部材１０に結合しているロッド部材（図示せず）を介して可動ハウジング３の下端部に連結され、これにより可動ハウジング３は下動しており、燃焼室５は開いている。
【００３２】
したがって、図示されない被打ち込み材にコンタクト部材１０を押し付けると、コンタクト部材１０が釘打機本体Ａ１に対して相対的に上方に押し上げられることで、図２に示されるように、筒状の可動ハウジング３が上動して開放状態にあった燃焼室５を密封閉鎖状態にする。そして、ガス燃料カートリッジからガス燃料を燃焼室５の上部のシリンダヘッド部４の燃料供給路１１を経て燃焼室５内に噴射供給し、撹拌ファン９の駆動で空気とガス燃料を均一になるように撹拌混合して、トリガ１３の引き操作により点火スイッチをオンして点火プラグ６がスパークし、燃焼室５内の混合燃焼ガスを爆発燃焼させる。高圧の燃焼圧は、打撃ピストン２に作用して打撃ピストン２を下動させ、打撃ピストン２とともにドライバ７が下動することでマガジンＡ４からノーズ部Ａ３の射出口内に送り込まれた釘ｎの頭部を撃打して、該釘を被釘打ち材の所定位置に打ち込むように構成されている。
【００３３】
また、打撃ピストン２が下死点まで下動すると、燃焼室５内で急激に膨張した燃焼ガスの温度が急激に下がって負圧となるので、打撃ピストン２を上死点に戻り移動させる。
【００３４】
そして、トリガ１３の操作の解放による釘打ちの終了に伴い被釘打ち材から押圧開放されたコンタクト部材１０はバネの戻し力で押し下げられて下動し、コンタクト部材１０の下動とともに燃焼室５の可動ハウジング３が下動し、燃焼室５は開放されて新鮮な空気が流入するようになされている。
【００３５】
上記ガス内燃式釘打機Ａは概ね上述の構造を備えるものであり、これらの構造は既に知られている。
【００３６】
次に、上記燃焼室５の燃焼ガスに点火するための点火スイッチ１４の作動機構を図３〜図７によって説明する。
【００３７】
まず、トリガ１３はグリップＡ２の下部に配置され、釘打機本体Ａ１の側面に設けられた支軸１２を中心に上下方向に回動可能に設けられている。また、可動ハウジング３の下端にはハウジングカバー１５が固定されている。
【００３８】
上記トリガ１３と可動ハウジング３との間には、上記点火プラグ６をスパークさせる点火スイッチ１４と、上記トリガ１３と連動して上記点火スイッチ１４を押圧可能なコンタクトレバー１６と、上記可動ハウジング３と連動して上記コンタクトレバー１６を、上記点火スイッチ１４を有効に押圧可能な位置に移動させる安全レバー１７とが設けられている。
【００３９】
点火スイッチ１４はマイクロスイッチから構成され、その接触子１８は下向きに設けられている。
【００４０】
コンタクトレバー１６は下向きに開放されたコ字形に形成され、その一端はレバーホルダ２０に固定され、他端は折り返されて係合片２１が形成されている。レバーホルダ２０は、Ｌ字形リンク２２の一端に回動可能に設けられ、図示しない捩りコイルバネによって軸１９を中心に常時図の反時計方向に回動するように付勢されている。また、Ｌ字形リンク２２の屈曲部はグリップの基部の軸２３に回動可能に設けられ、Ｌ字形リンク２２の他端は、トリガ１３の上端に設けられた軸２４に回動可能に連結されている。
【００４１】
なお、コンタクトレバー１６は釘打機に設けられた軸体２５に当たったときは、それ以上は回動できない。
【００４２】
次に、安全レバー１７は、上記可動ハウジング３と連動する連動プレート２６に回動可能に設けられ、上記可動ハウジング３とともに上動したときに上記コンタクトレバー１６に係合して点火スイッチ１４を有効に押圧可能な位置に移動させるものである。
【００４３】
連動プレート２６は、上記軸体２５を摺動自在に収容するガイド溝２７と、可動ハウジング３の下方に形成された垂下片２８の開口２８ａに係合するアーム３０とを備え、上部に配置されたバネ３１により常時下方に付勢されている。これにより、可動ハウジング３が上動するときは上記バネ３１に抗して上動し、可動ハウジング３が下動するときは上記バネ３１によって下動するので、可動ハウジング３とほぼ連動する構成となっている。
【００４４】
また、連動プレート２６の中間よりやや下方位置に軸３２が設けられ、安全レバー１７はこの軸３２には左右方向に回動可能に設けられている。安全レバー１７の下端にはレバー機構として第１の係合凸部３３が形成されている。第１の係合凸部３３は台形のブロック状に形成され、コンタクトレバー１６側の側面３３ａは斜めに形成されている。コンタクトレバー１６の端部係合片２１は、通常は上記第１の係合凸部３３の上方に位置している。なお、コンタクトレバー１６はバネにより常時軸２５に当たって図３の状態に保持されている。また、安全レバー１７が回動したとき、第１の係合凸部３３と第２の係合凸部３４とは互いに反対側に移動する。通常はバネ４１によって反時計方向に付勢されている。
【００４５】
ところで、待機状態においてコンタクトレバー１６の係合片２１と安全レバー１７の第１の係合凸部３３との間にはクリアランスが形成されている。このクリアランスは、待機状態でトリガ１３を引き操作してコンタクトレバー１６が回動したときに第１の係合凸部３３に当たらずに空振りして反時計方向に回動する程度とする。
【００４６】
次に、実打直後の反動で釘打機本体Ａ１が上方に移動したときはコンタクト部材１０も被打込み材から離れるので、可動ハウジング３が上方の密閉位置から相対的に下方に移動して燃焼室５が開いてしまう。燃焼室５が開いてしまうと、燃焼室５内が負圧にならず、打撃ピストン２が上死点に復帰できないので、実打後も可動ハウジング３を密閉状態に保持する必要がある。
【００４７】
そこで、トリガ１３には、上方の燃焼室５が密閉位置に移動した上記可動ハウジング３と係合可能なロックアウトバー３５が連結されている。すなわち、ロックアウトバー３５はコ字形に形成され、基部はトリガ１３の上部に設けられた軸３６に回動可能に連結されている。先端は可動ハウジング３の下部のハウジングカバー１５の下端屈曲部１５ａに係合可能に設けられている。そして、上記軸３６を中心に釘打機本体Ａ１に設けられた支持壁３７と後述のロックアウトバーサポート３８の支持軸４０との間で回動可能となっている。
【００４８】
なお、トリガ１３はバネ（図示せず）によって常時下方の待機位置側に付勢されている。
【００４９】
次に、釘打機本体Ａ１には、上方の密閉位置にある可動ハウジング３に係合して支持するロックアウトバー３５に所定以上の荷重が掛かったときに、安全レバー１７をバネに抗してコンタクトレバー１６と係合不可能な位置に回動させるレバー機構が設けられている。
【００５０】
すなわち、ロックアウトバー３５の上部にはロックアウトバーサポート３８が設けられている。このロックアウトバーサポート３８は釘打機本体Ａ１に設けられた支持軸４０に回動可能に設けられ、その一端には支持板４２が垂下形成され、他端は引っ張りバネ４３によって水平に保持されるように付勢されている。支持板４２の中間部にはロックアウトバー３５の下面に係合する係合片４４が形成され、この係合片４４によってロックアウトバー３５は通常は上記支持壁３７から浮いた状態に支持されている。
【００５１】
また、上記支持板４２の下端は連動プレート２６が上動したときは、上記安全レバー１７の上端の第２の係合凸部３４の側部と係合可能となるように配置されている。
【００５２】
上記構成によれば、図３の待機位置から上述のように釘打機を駆動するにあたり、まず、コンタクト部材１０の端部を被打込み材に対して下方に押し付けることにより、コンタクト部材１０とともに可動ハウジング３が相対的に上方に移動し、これと連動して図４のように連動プレート２６も上方に移動する。可動ハウジング３が上動することにより燃焼室５が図２のように密閉され、ガス燃料と空気が供給攪拌される。また、連動プレート２６の上動途中で、安全レバー１７の第１の係合凸部３３の上面がコンタクトレバー１６の端部に係合し、コンタクトレバー１６の係合片２１を捩りコイルバネに抗して引き上げるから、レバーホルダ２０が回動し、コンタクトレバー１６は左上りとなる。
【００５３】
その後、トリガ１３を引き上げ操作して上方に回動させると、図５に示されるように、Ｌ字形リンク２２が回動し、レバーホルダ２０を上方に押し上げるから、コンタクトレバー１６の他端も上方に移動する。したがって、コンタクトレバー１６が点火スイッチ１４の接触子１８を押圧するから、スイッチがオン作動し、点火プラグ６が発火し、燃焼室５内の混合燃焼ガスを爆発燃焼させる。
【００５４】
なお、トリガ１３を引き上げて回動することにより、ロックアウトバー３５は斜め上方に移動して図６のようにその先端が可動ハウジング３のハウジングカバー１５の直下に移動する。
【００５５】
次に、実打直後の反動で釘打機本体Ａ１が上方に移動してコンタクト部材１０が被打込み材から離れることによりコンタクト部材１０とともに可動ハウジング３が上方の密閉位置から相対的に下方に移動すると、ハウジングカバー１５がロックアウトバー３５の先端に当たり、その荷重はロックアウトバー３５にかかるので、ロックアウトバーサポート３８は上記荷重に耐えられず、上記レバー機構が作動し、支持軸４０を中心に図の反時計方向に回動する。ロックアウトバー３５は支持壁３７で支持されるが、ロックアウトバーサポート３８の支持片４２の下端は安全レバー１７の第２の係合凸部３４に係合してさらに押し込むから、安全レバー１７は軸３２を中心に時計方向に回動し、第１の係合凸部３３は逆に反時計方向に回動してコンタクトレバー１６の係合片２１に係合可能な位置から退避する。コンタクトレバー１６は支持を失って反時計方向に回転する。打撃ピストン２が上死点に復帰した後にトリガ１３を解放すると、ロックアウトバー３５も下方に移動するから可動ハウジング３も支持を失って図７に示す下方の待機位置に移動する。その途中で第１の係合凸部３３の下部斜面は、トリガ１３とともに既に待機位置にあるコンタクトレバー１６の係合片２１に係合するので、上記下部斜面が係合片２１の先端と摺動しながらバネ４１に抗して時計方向に回動するので、上記係合片２１が図３の所定位置に戻り、同時に安全レバー１７も第１の係合凸部３３の下方の待機位置に復帰する。
【００５６】
次に、先にトリガ１３を引き操作した後にコンタクト部材１０を被打込み材に押し付ける、いわゆるコンタクト打ちの操作をした場合の作動態様について説明する。
【００５７】
上述のように、待機状態においてコンタクトレバー１６の係合片２１と安全レバー１７の第１の係合凸部３３との間にはクリアランスが形成されている。このクリアランスは、待機状態でトリガ１３を引き操作してコンタクトレバー１６が回動したときに第１の係合凸部３３に当たらずに空振りする程度に設定されている。したがって、先にトリガ１３を引き操作すると、コンタクトレバー１６は図８に示されるように回動し、第１の係合凸部３３には係合せずに空振り状態で回動するとともに上方に移動する。そして、係合片２１は安全レバー１７の第１の係合凸部３３の上方移動時に干渉しないで退避する。その後にコンタクト部材１０を被打込み材に押し付けても、図９のように安全レバー１７の第１の係合凸部３３はコンタクトレバー１６の側を通過するだけであり、コンタクトレバー１６は動かないから、点火スイッチ１４がオン作動することはない。このように、コンタクト打ちは有効に防止される。
【００５８】
次に、先にコンタクト部材１０の先端を被打込み材に押し付けた後にトリガ１３を引く場合であっても、図１０に示されるように、トリガ１３を途中までしか引かない中途引き状態になっている場合は、釘打機から釘は発射されないが、ロックアウトバー３５は可動ハウジング３を支持する状態になっているので、その後にコンタクト部材１０を被打込み材から離して空中に向けても可動ハウジング３はロックアウトバー３５に支持された状態になり、その後にトリガ１３を引き切ると、釘が発射する可能性がある。
【００５９】
しかし、上述のように、釘打機を被打込み材から離すと、図１１に示されるように、可動ハウジング３の荷重がロックアウトバー３５に掛かるので、ロックアウトバーサポート３８は支持軸４０を中心に図の反時計方向に回動し、その支持片４２の下端は安全レバー１７の第２の係合凸部３４に係合して安全レバー１７を図の時計方向に回動し、第１の係合凸部３３は逆に反時計方向に回動してコンタクトレバー１６の係合片２１に係合可能な位置から退避させる。このため、コンタクトレバー１６は支持を失って時計方向に回転する。したがって、さらにトリガ１３を引き切っても、コンタクトレバー１６が点火スイッチ１４の接触子１８を押すことはできないから、釘打機が作動することはない。したがって、空中で実打されることは有効に防止される。
【００６０】
上述のように、トリガ１３を操作することによりロックアウトバー３５で可動ハウジング３を支持することができるから、釘打撃時の反動によっても可動ハウジング３が下動して燃焼室５が開くようなことがなく、常に安定した作動を確保することができる。
【００６１】
また、ロックアウトバー３５を介して受ける可動ハウジング３の荷重はトリガ１３を待機位置に戻すように作用するから、支軸１２を中心に回動するトリガ１３の引き操作後に待機状態に戻すためのバネ荷重を小さくすることができ、操作性が向上する。
【００６２】
さらに、可動ハウジング３を釘打機本体Ａ１に対して相対的に上動させて密閉した燃焼室５を形成すると、これと連動して安全レバー１７がコンタクトレバー１６を押圧有効可能位置に移動させるので、さらにトリガ１３を操作することにより、コンタクトレバー１６が点火スイッチ１４をオン作動させて燃焼室５内の燃焼ガスを燃焼させて釘打ちこみ作動させることができる。このように、従来のカムのような合成樹脂部品がないので、釘打機を硬い部品にぶつけたり、落としたりしたときの衝撃で破損したり変形したりする事故がなくなる。
【００６３】
さらに、点火スイッチ１４のスイッチ機構とロックアウトバー３５がトリガ１３と可動ハウジング３との間に設けられるので、従来カムを配置していたスペースを無くすることができ、そのスペースを活用して別部品を設けたり、あるいは上記スペースを無くして釘打機の全高を低くして小型化したりすることができる。
【００６４】
また、釘打機を被打ち込み材に押し付けて、可動ハウジング３と連動する連動プレート２６に設けられた安全レバー１７をコンタクトレバー１６に係合させてトリガ１３を操作することによりその操作が有効に行われるので、被打ち込み材に押し付けずに釘打機が暴発するのを確実に防止することができる。
【００６５】
さらにまた、コンタクト打ちや危険な空中実打も確実に防止することがでできる。
【００６６】
なお、上記実施形態では可動ハウジングを上下動することにより燃焼室を開閉するように構成されているが、本発明はこれに限定されない。可動ハウジングを水平方向に回動させることにより燃焼室を開閉するものも含むものとする。
【図面の簡単な説明】
【００６７】
【図１】本発明の実施形態のガス内燃式釘打機の要部の縦断面図
【図２】燃焼室が密閉された状態を示す要部の縦断面図
【図３】待機状態のスイッチ作動機構の説明図
【図４】可動ハウジングを上動させた状態の説明図
【図５】トリガを引いて点火スイッチを押圧した状態の説明図
【図６】可動ハウジングが下動途中の説明図
【図７】可動ハウジングがさらに下動する途中の説明図
【図８】先にトリガを引いた状態の説明図
【図９】さらに可動ハウジングを上動させた状態の説明図
【図１０】トリガを中途引きした状態の説明図
【図１１】中途引き状態で可動ハウジングが下動した状態の説明図
【符号の説明】
【００６８】
Ａ  ガス内燃式釘打機
３  可動ハウジング
５  燃焼室
１３  トリガ
１４  点火スイッチ
１６  コンタクトレバー
１７  安全レバー
３５  ロックアウトバー
【図１】
2008260094.tif 000003
【図２】
2008260094.tif 000004
【図３】
2008260094.tif 000005
【図４】
2008260094.tif 000006
【図５】
2008260094.tif 000007
【図６】
2008260094.tif 000008
【図７】
2008260094.tif 000009
【図８】
2008260094.tif 000010
【図９】
2008260094.tif 000011
【図１０】
2008260094.tif 000012
【図１１】
2008260094.tif 000013